(57)【特許請求の範囲】
【請求項１】
コイン投入口に投入されたコインの真偽を判別するコイン選別装置であって、選別用ハンドルの回転に伴って回転可能なコイン回転盤を有し、前記コイン回転盤には、投入されたコインを保持するためのコイン受け部と、先端部が前記コイン受け部内にまで延び正規の大きさのコイン（以下、特許請求の範囲において「正規コイン」という。）の投入の際に前記先端部がそのコインの外周に摺接して揺動動作する揺動部材とが設けられ、また、前記コイン回転盤の近くにはストッパが設けられ、このストッパは、正規コインが投入されずに前記揺動部材が揺動動作しない場合に、その揺動部材に当接して前記コイン回転盤の回転を阻止する一方で、正規コインが投入されて前記揺動部材が揺動動作した場合に、その揺動部材に当接しないで前記コイン回転盤の回転を許容するように構成されていることを特徴とするコイン選別装置。
【請求項２】
前記コイン回転盤の円周方向に離れて等間隔に前記コイン受け部が複数設けられ、これらコイン受け部に対応して前記揺動部材が複数設けられていることを特徴とする請求項１記載のコイン選別装置。
【請求項３】
前記揺動部材は、投入された正規コインの外周部に先端部が押し付けられるように付勢手段によって付勢されていることを特徴とする請求項１又は２記載のコイン選別装置。
【請求項４】
請求項１又は２記載のコイン選別装置を備え、前記コイン回転盤の回転に伴って物品を排出するように構成されたことを特徴とする物品排出装置。
【請求項５】
内部の物品を排出するための物品排出ドラムが設けられ、この物品排出ドラムは前記コイン回転盤と一体的に回転するように構成されていることを特徴とする請求項４記載の物品排出装置。
【請求項６】
前記コイン回転盤の回転に伴って前記物品を撹拌するための撹拌部材が動作するように構成されていることを特徴とする請求項４又は５記載の物品排出装置。
【請求項７】
請求項１又は２記載のコイン選別装置を備え、前記コイン回転盤が回転した際にゲームが開始可能となっていることを特徴とするゲーム装置。
【発明の詳細な説明】
【０００１】
【発明の属する技術分野】
本発明は、コイン選別装置、物品排出装置及びゲーム装置に関するものである。
【０００２】
【従来の技術】
従来、コイン選別装置として、コインの大きさや重量そして厚み等からコインの真偽を判別し、これによってコインを選別するコイン選別装置が知られている。
【０００３】
【発明が解決しようとする課題】
しかしながら、このようなコイン選別装置はおおむね複雑であり、特に玩具の分野では構造が簡単なコイン選別装置が要望されている。
本発明は、かかる問題点に鑑みなされたもので、簡単な構造でコインの真偽を判別できるコイン選別装置と、このコイン選別装置を用いた物品排出装置及びゲーム装置を提供することを目的としている。
【０００４】
【課題を解決するための手段】
請求項１記載のコイン選別装置は、コイン投入口に投入されたコインの真偽を判別するコイン選別装置であって、選別用ハンドルの回転に伴って回転可能なコイン回転盤を有し、前記コイン回転盤には、投入されたコインを保持するためのコイン受け部と、先端部が前記コイン受け部内にまで延び正規の大きさのコイン（正規コイン）の投入の際に前記先端部がそのコインの外周に摺接して揺動動作する揺動部材とが設けられ、また、前記コイン回転盤の近くにはストッパが設けられ、このストッパは、正規コインが投入されずに前記揺動部材が揺動動作しない場合に、その揺動部材に当接して前記コイン回転盤の回転を阻止する一方で、正規コインが投入されて前記揺動部材が揺動動作した場合に、その揺動部材に当接しないで前記コイン回転盤の回転を許容するように構成されていることを特徴とする。
このコイン選別装置によれば、正規コインが投入された際に揺動部材が揺動動作してコイン回転盤が回転するので、簡単な構造でもってコインの真偽が容易に判別できる。
【０００５】
請求項２記載のコイン選別装置は、請求項１記載のコイン選別装置において、前記コイン回転盤の円周方向に離れて等間隔に前記コイン受け部が複数設けられ、これらコイン受け部に対応して前記揺動部材が複数設けられていることを特徴とする。
このコイン選別装置によれば、コイン回転盤を１回転させないでもコインの真偽が判別できる。
【０００８】
請求項３記載のコイン選別装置は、請求項１又は２記載のコイン選別装置において、前記揺動部材は、投入された正規コインの外周部に先端部が押し付けられるように付勢手段によって付勢されていることを特徴とする。
このコイン選別装置によれば、付勢手段によって、投入された正規コインの外周部に先端部が確実に押し付けられるので、正規コインが投入されたときだけコイン回転盤が回転することになる。
【０００９】
請求項４記載の物品排出装置は、請求項１又は２記載のコイン選別装置を備え、前記コイン回転盤の回転に伴って物品を排出するように構成されたことを特徴とする。
この物品排出装置によれば、コイン回転盤の回転によってコインの真偽が判別され、正規コインと判定された際に物品が排出されることになる。
【００１０】
請求項５記載の物品排出装置は、請求項４記載の物品排出装置において、内部の物品を排出するための物品排出ドラムが設けられ、この物品排出ドラムは前記コイン回転盤と一体的に回転するように構成されていることを特徴とする。
この物品排出装置によれば、コイン回転盤の回転によってそれと一体的に物品排出ドラムも回転するので、構造が比較的に簡単なものとなる。
【００１１】
請求項６記載の物品排出装置は、請求項４又は５記載の物品排出装置において、前記コイン回転盤の回転に伴って前記物品を撹拌するための撹拌部材が動作するように構成されていることを特徴とする。
この物品排出装置によれば、コイン回転盤の回転に伴って物品が撹拌されるので、物品の排出が容易となると共に、種類の異なる物品を入れておけば、どの物品が出るかの予測性がない分、面白みのあるものとなる。
【００１２】
請求項７記載のゲーム装置は、請求項１又は２記載のコイン選別装置を備え、前記コイン回転盤が回転した際にゲームが開始可能となっていることを特徴とする。例えば、コイン回転盤の回転によってスイッチが入り、ゲームが行えるようにしても良いし、コイン回転盤の回転によってゼンマイが巻かれて、そのゼンマイ動力によってゲームが行えるようにしても良い。
このゲーム装置によれば、コイン回転盤の回転によってコインの真偽が判別され、正規コインと判定された際にゲームが行えることになる。
【００１３】
【発明の実施の形態】
図１は本発明の物品排出玩具の一例である自動販売機玩具の斜視図である。この自動販売機玩具１の内部にはカプセル玩具（カプセルに入った玩具）２が多数収納されている。このカプセル玩具２の収納は上側にある扉３を横方向にスライドさせて開けることによって行うことができる。
【００１４】
この自動販売機玩具１では、例えばプラスチック製の円形のコイン（疑似コインを含む）をコイン投入口４から投入する。この場合、コインを手で軽く押し込むようにする。そして、選別用ハンドル５を時計方向に半回転させると、カプセル玩具２が１つ排出される。なお、図１ではカプセル玩具２の取出し口は閉まったままとなっているが、扉６の穴６ａに指を入れて破線で示すように摘みだし前倒し状態にすると、その扉６の上にカプセル玩具２が排出される。
【００１５】
続いて、この自動販売機玩具１の内部構造を図２〜図４に基づいて説明する。ハンドル軸５ａには図２に示すように歯車１０が固定的に設けられる。この歯車１０には、図３（背面図）に示すように、ハンドル軸５ａに平行な軸１１に固定された歯車１２が噛合している。また、軸１１には歯車１３が軸フリー状態に付設されている。この歯車１３は押しばね１４によって歯車１２の端面に強く押し付けられている。したがって、歯車１２が回転した際に歯車１３も同時に回転することになる。また、何らかの抵抗が歯車１３に作用した際には押しばね１４の付勢力に抗して歯車１３が歯車１２から離れることになる。この場合には、歯車１２に追従せず歯車１３は回転しない。
【００１６】
また、歯車１３には、コイン回転盤７に固定され、かつ前記ハンドル軸５ａに軸フリー状態に設けられた歯車１４が噛合している。コイン回転盤７の裏側には２つの突起７ａ，７ａが設けられており、この２つの突起７ａ，７ａは玩具排出ドラム（物品排出ドラム）８の前面に設けた２つの穴８ａ，８ａに嵌合している。したがって、玩具排出ドラム８はコイン回転盤７と一体的に回転することになる。また、玩具排出ドラム８の後部外周には歯車１５が形成され、この歯車１５には歯車１６が噛合し、さらに歯車１６には撹拌用の大歯車１７が噛合している。この大歯車１７の前側端面には引きばね主体とする２つの撹拌部材９，９が設けられている。
【００１７】
ここで、コイン回転盤７を含むコイン選別装置について説明すれば、コイン回転盤７の前面には図５（正面図）に示すように２つのコイン受け部２０，２０が形成されている。そして、このコイン受け部２０，２０の近くには、それぞれ、軸２１ａを中心に揺動する揺動部材２１が設けられている。各揺動部材２１の先端部は対応するコイン受け部２０まで延びている。また、各揺動部材２１は図６（背面図）に示すように引きばね２２によってその先端部がコイン受け部２０の中心側に向けて付勢されている。各コイン受け部２０を画成する隔壁の一方側は引きばね２２によって引かれた揺動部材２１の先端部を所定位置で停止させる働きをする。
【００１８】
各揺動部材２１の先端は、正規の大きさのコインが投入された際に揺動部材２１の先端がコインに引きばね２２によって摺接して、コイン回転盤７の半径方向外方に逃げるような形状となっている（図７参照）。また、各揺動部材２１には三角形状の当接部２１ｂが形成されている。
【００１９】
一方、前枠３０ａの内面には帯状の凸部３１が設けられている。この帯状の凸部３１の一端３１ａはコイン投入口４の近くに存在している。この凸部３１の一端３１ａは揺動部材２１の先端部が前記所定位置で停止している状態で当接部２１ｂに当接する。すなわち、コイン回転盤７のコイン受け部２０にコインが入っていないか、コインが入っていてもそれが正規の大きさのコインよりも小さい場合、凸部３１の一端３１ａは揺動部材２１の当接部２１ｂに当接する。これによってコイン回転盤７の回転が阻止される。
他方、この凸部３１の一端３１ａは、コイン回転盤７のコイン受け部２０に正規の大きさのコインが入っている場合、揺動部材２１の先端がコイン回転盤７の半径方向外方に逃げているので、揺動部材２１の当接部２１ｂに当接しない。したがって、コイン回転盤７の回転が阻止されることはない。
また、凸部３１はコイン排出位置で揺動部材２１の先端をコイン回転盤７の半径方向外方に逃がすように屈曲した形状となっている。これによって、該コイン排出位置でコインが落下されることになる。
【００２０】
次に、符号４０で示すコイン通路部について説明すれば、このコイン通路部品４０は前枠３０ａと間でコイン通路４１を画成しており、コイン回転盤７から落下したコインはこのコイン通路４１を通ってコイン通路部４０の下側に入ることになる。入ったコインは後枠３０ｂに設けた扉（図示しない）を開けることによって取り出すことができる。
【００２１】
また、符号５０，５１で示すカプセル受け板について説明すれば、カプセル受け板５０はカプセル玩具２を玩具排出ドラム８に受け渡すものであり、カプセル受け板５１は玩具排出ドラム８からのカプセル玩具２を取出し口に導くためのものである。
【００２２】
なお、符号６０は透明板であり、この透明板６０を通して内部のカプセル玩具２を見通すことができる。また、玩具排出ドラム８はドラム片８０ａ，８０ｂから構成されている。また、符号９０は玩具排出ドラム８の歯車１５に噛み合い、その玩具排出ドラム８の逆転を防止する爪部材を示している。
【００２３】
以上、本発明の実施形態について説明したが、本発明は、かかる実施形態に限定されるものではなく、その要旨を逸脱しない範囲で種々の変形が可能であることは云うまでもない。
【００２４】
例えば、前記実施形態では、コイン回転盤７側に揺動部材２１を設け、ストッパである凸部３１を前枠３０ａ側に設けたが、その逆であってもよい。
【００２５】
【発明の効果】
本発明の代表的なものの効果について説明すれば、コイン投入口に投入されたコインの真偽を判別するコイン選別装置であって、選別用ハンドルの回転に伴って回転可能なコイン回転盤を有し、前記コイン回転盤には、投入されたコインを保持するためのコイン受け部と、先端部が前記コイン受け部内にまで延び正規コインの投入の際に前記先端部がそのコインの外周に摺接して揺動動作する揺動部材とが設けられ、また、前記コイン回転盤の近くにはストッパが設けられ、このストッパは、正規コインが投入されずに前記揺動部材が揺動動作しない場合に、その揺動部材に当接して前記コイン回転盤の回転を阻止する一方で、正規コインが投入されて前記揺動部材が揺動動作した場合に、その揺動部材に当接しないで前記コイン回転盤の回転を許容するように構成されているので、簡単な構造でもってコインの真偽が容易に判別できる。
【図面の簡単な説明】
【図１】本発明に係る自動販売機玩具の斜視図である。
【図２】本発明に係る自動販売機玩具の右側面断面図である。
【図３】本発明に係る自動販売機玩具の選別用ハンドル及びその周辺の平面断面図である。
【図４】本発明に係る自動販売機玩具の分解斜視図である。
【図５】本発明に係る自動販売機玩具のコイン回転盤の正面図である。
【図６】本発明に係る自動販売機玩具のコイン回転盤の背面図である。
【図７】本発明に係る自動販売機玩具のコイン回転盤の正面図である。
【図８】本発明に係る自答販売機玩具のコイン回転盤の背面図である。
【符号の説明】
１              自動販売機玩具
２              カプセル玩具
４              コイン投入口
５              選別用ハンドル
７              コイン回転盤
８              玩具排出ドラム
２０            コイン保持部
【図１】
0003676940.tif 000002
【図２】
0003676940.tif 000003
【図３】
0003676940.tif 000004
【図４】
0003676940.tif 000005
【図５】
0003676940.tif 000006
【図６】
0003676940.tif 000007
【図７】
0003676940.tif 000008
【図８】
0003676940.tif 000009